(57)【要約】  本発明の無線通信端末は、近距離無線通信部と、データ記憶部と、データ記憶部に記憶されたデータを他の無線通信端末と近距離無線通信により送受信することでデータの同期をとるデータ同期部と、少なくともデータ同期部を含む起動対象構成を、他の無線通信端末に装備された起動対象構成の起動と同時期に起動してデータの同期をとるよう作動させる起動制御部と、を備える。
2016084275.tif 000002
【特許請求の範囲】
【請求項１】
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、を備えた、
無線通信端末。
【請求項２】
請求項１に記載の無線通信端末であって、
前記起動制御部は、予め設定された周期で前記起動対象構成を起動する、
無線通信端末。
【請求項３】
請求項２に記載の無線通信端末であって、
前記起動制御部は、他の無線通信端末と時刻の同期を行うと共に、当該同期された時刻に基づいて予め設定された周期で前記起動対象構成を起動する、
無線通信端末。
【請求項４】
請求項１乃至３のいずれかに記載の無線通信端末であって、
前記起動制御部は、前記データ記憶部に記憶されたデータの変化に応じて、自端末に装備された前記起動対象構成を、他の無線通信端末に装備された前記起動対象構成の起動と同時期に起動する、
無線通信端末。
【請求項５】
請求項４に記載の無線通信端末であって、
前記起動制御部は、前記データ記憶部に記憶されたデータに変化が生じると、自端末の前記起動対象構成を起動すると共に、前記無線通信部を介して他の無線通信端末の前記起動対象構成を起動する信号を発信する、
無線通信端末。
【請求項６】
請求項１乃至５のいずれかに記載の無線通信端末であって、
前記起動制御部は、前記データ同期部にて、近距離無線通信の範囲内の他の無線通信端末と前記データ同期部によるデータの同期が完了すると、前記起動対象構成を非起動状態とする、
無線通信端末。
【請求項７】
請求項６に記載の無線通信端末であって、
前記起動制御部は、前記データ同期部にて、近距離無線通信の範囲内の他の無線通信端末から当該他の無線通信端末が記憶しているデータのリストを受信してデータの同期を確認し、その後、近距離無線通信の範囲内の他の無線通信端末に対して自端末に記憶されているデータのリストを送信してから、前記起動対象構成を非起動状態とする、
無線通信端末。
【請求項８】
請求項１乃至５のいずれかに記載の無線通信端末であって、
前記データ同期部は、前記起動制御部により起動されたときに、近距離無線通信の範囲内の他の無線通信端末と相互に近距離無線通信して、自端末の前記データ記憶部に記憶されているデータと他の無線通信端末の前記データ記憶部に記憶されているデータとを比較すると共に、当該データを送受信してデータの同期をとる、
無線通信端末。
【請求項９】
請求項８に記載の無線通信端末であって、
前記データ同期部は、前記起動制御部により起動されたときに、近距離無線通信の範囲内の他の無線通信端末と相互に近距離無線通信して、自端末の前記データ記憶部に記憶されているデータのリストを他の無線通信端末に送信し、及び／または、他の無線通信端末から当該他の無線通信端末の前記データ記憶部に記憶されているデータのリストを受信して、前記リストに基づいてデータを送受信してデータの同期をとる、
無線通信端末。
【請求項１０】
請求項１乃至９のいずれかに記載の無線通信端末であって、
前記データ同期部は、エピデミックルーティングによりデータの同期をとる、
無線通信端末。
【請求項１１】
請求項１乃至１０のいずれかに記載の無線通信端末であって、
前記起動対象構成は、他の無線通信端末とデータの同期をとり、当該同期を確認する処理を実行する構成を含む、
無線通信端末。
【請求項１２】
請求項１乃至１１のいずれかに記載の無線通信端末であって、
当該無線通信端末は車両に搭載されており、
前記起動制御部は、前記車両の状態に関わらず作動する、
無線通信端末。
【請求項１３】
請求項１乃至１１のいずれかに記載の無線通信端末を搭載した車両。
【請求項１４】
近距離無線通信の範囲内で他の無線通信端末と相互に近距離無線通信を行う近距離無線通信部と、所定のデータを記憶するデータ記憶部と、を備えた無線通信端末に装備された制御装置に、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、
を実現させるためのプログラム。
【請求項１５】
請求項１４に記載のプログラムであって、
前記起動制御部は、予め設定された周期で前記起動対象構成を起動する、
プログラム。
【請求項１６】
請求項１４又は１５に記載のプログラムであって、
前記起動制御部は、前記データ記憶部に記憶されたデータの変化に応じて、自端末に装備された前記起動対象構成を、他の無線通信端末に装備された前記起動対象構成の起動と同時期に起動する、
プログラム。
【請求項１７】
請求項１４乃至１６のいずれかに記載のプログラムであって、
前記起動制御部は、前記データ同期部にて、近距離無線通信の範囲内の他の無線通信端末と前記データ同期部によるデータの同期が完了すると、前記起動対象構成を非起動状態とする、
プログラム。
【請求項１８】
近距離無線通信の範囲内で他の無線通信端末と相互に近距離無線通信を行う近距離無線通信部と、所定のデータを記憶するデータ記憶部と、を備えた無線通信端末が、
前記データ記憶部に記憶されたデータを他の無線通信端末と近距離無線通信により送受信することでデータの同期をとると共に、
少なくとも前記データ同期部を含む起動対象構成を、他の無線通信端末に装備された前記起動対象構成の起動と同時期に起動してデータの同期をとるよう作動させる、
情報処理方法。
【請求項１９】
請求項１８に記載の情報処理方法であって、
前記起動対象構成を、予め設定された周期で起動してデータの同期をとるよう作動させる、
情報処理方法。
【請求項２０】
請求項１８又は１９に記載の情報処理方法であって、
前記データ記憶部に記憶されたデータの変化に応じて、自端末に装備された前記起動対象構成を、他の無線通信端末に装備された前記起動対象構成の起動と同時期に起動する、
情報処理方法。
【請求項２１】
請求項１８乃至２０のいずれかに記載の情報処理方法であって、
自端末と近距離無線通信の範囲内の他の無線通信端末とのデータの同期が完了すると、前記起動対象構成を非起動状態とする、
情報処理方法。
【発明の詳細な説明】
【技術分野】
【０００１】
本発明は、移動可能な無線通信端末に関する。
【背景技術】
【０００２】
近年、無線通信技術の発達に伴い、あらゆる場面で移動可能な無線通信端末が利用されている。これら無線通信端末は、互いに継続的なネットワーク接続が不可能な移動環境においても、信頼性の高いデータ転送が必要とされることがある。そのようなネットワーク制御方式として、遅延耐性ネットワーク（ＤＴＮ（Ｄｅｌａｙ／Ｄｉｓｒｕｐｔｉｏｎ−Ｔｏｌｅｒａｎｔ  Ｎｅｔｗｏｒｋ））が知られている。ＤＴＮは、転送するデータを各通信端末で蓄積しながら、他の通信端末にデータを中継伝送していく方式である。【０００３】
ＤＴＮにおける１つのデータ転送方式として、例えば特許文献１に開示されている、エピデミックルーティング（Ｅｐｉｄｅｍｉｃ  Ｒｏｕｔｉｎｇ）がある。エピデミックルーティングは、通信端末が他の端末と無線通信にて接続されたときに、互いのデータの保有情報に基づいて、差分のデータを補完しながら、データを伝播させていくデータ転送方式である。【０００４】
ここで、エピデミックルーティングのデータ転送方式の具体例を、図１を参照して説明する。図１（Ａ）では、エピデミックルーティングのＰｕｌｌ型のデータ転送方式を示している。【０００５】
まず、無線通信端末Ａ，Ｂが、相互に近距離無線通信の範囲に位置することにより接続されると、自端末が記憶しているデータであるコンテンツのリスト（保有情報）であるサマリーベクター（Ｓｕｍｍａｒｙ  Ｖｅｃｔｏｒ）を含むメッセージ（以下、「ＳＶＭ」（Ｓｕｍｍａｒｙ  Ｖｅｃｔｏｒ  Ｍｅｓｓａｇｅ））を交換する（ステップＳ１）。これにより、各端末Ａ及びＢは、自端末は保有していないが相手端末が保有しているデータを把握することができる。すると、図１（Ａ）の例では、端末Ｂは、ＳＶＭに基づいて、端末Ａは保有しているが自端末Ｂは保有していないデータを、端末Ａにリクエストする（ステップＳ２）。このリクエストに応じて、端末Ａは、自端末Ａが保有しているデータであるコンテンツを端末Ｂに送信する（ステップＳ３）。これにより、端末Ｂは、端末Ａが保有しているデータを保有することができ、当該端末Ａと相互にデータの同期をとることができる。【０００６】
また、図１（Ｂ）では、エピデミックルーティングのＰｕｓｈ型のデータ転送方式を示している。まず、端末Ａ及びＢが、相互に近距離無線通信の範囲に位置することにより接続されると、上述同様にＳＶＭを交換する（ステップＳ１１）。このとき、端末Ａは保有しているが端末Ｂは保有していないデータが存在することとする。すると、端末Ａは、ＳＶＭに基づいて、端末Ｂは保有していないデータを当該端末Ｂに送信する（ステップＳ１２）。つまり、このＰｕｓｈ型では、上述したＰｕｌｌ型とは異なり、端末Ｂからリクエストがなくても、端末Ａが端末Ｂにデータを送信する。これにより、端末Ｂは、端末Ａが保有しているデータを保有することができ、当該端末Ａと相互にデータの同期をとることができる。【０００７】
そして、上述したエピデミックルーティングは、無線通信端末が自由に移動しうる環境下では、無線ネットワークの設定としてアドホックモードで用いることが望ましい。アドホックモードでは、無線通信端末は、アクセスポイントが存在しなくても近距離無線通信を用いてピアツーピア型のリンクを構成可能であり、かつ、アソシエーション確立が不要であって、セッション確立が高速であるためである。【０００８】
このように、アドホックモードにてエピデミックルーティングを用いることにより、移動している無線通信端末間で、データを蓄積しながら近距離無線通信にて中継伝送することができ、遠くはなれた端末にもデータを伝送可能となる。例えば、図２に示すように、移動しうる携帯電話端末Ａ１−Ａ６といった無線通信端末が存在する状況においても、当該図２の矢印に示すように、近距離無線通信にて近隣の他の無線通信端末にデータを伝送していくことできる。これにより、例えば、近距離無線通信では直接通信することが不可能な端末Ａ１と端末Ａ６であっても、他の端末Ａ２−Ａ４を中継伝送して、いずれはデータを同期させることが可能となる。
【先行技術文献】
【特許文献】
【０００９】
【特許文献１】国際公開第２０１４／０６１３１４号
【発明の概要】
【発明が解決しようとする課題】
【００１０】
しかしながら、上述したようなアドホックモードにてエピデミックルーティングを用いたデータ伝送方式においては、以下のような問題が生じる。まず、無線通信端末が電源オフの場合には、データを中継伝送できず、遠方の端末までデータを伝送させることができない。このため、無線通信端末の電源を常にオンにしておく必要がある。また、無線通信端末は移動しているため、常に他の端末と近距離無線通信可能であるかを調べ、ＳＶＭの交換を監視する必要がある。このことからも、無線通信端末を常時起動させておく必要がある。【００１１】
一方で、無線通信端末の電源を常時オンにしておくと、電力消費量の増加と言う問題が生じる。これにより、特に、無線通信端末においては、容量の限られたバッテリーの持続時間が減少してしまう。【００１２】
そして、エピデミックルーティングを用いたデータ伝送方式に限らず、無線通信端末において近距離無線通信の範囲内の他の端末に対してデータを伝送して伝播させる場合には、上述した問題は生じうる。【００１３】
このため、本発明の目的は、上述した課題である、電力消費量の増加、という問題を解決することができる、無線通信端末を提供することにある。
【課題を解決するための手段】
【００１４】
本発明の一形態である無線通信端末は、
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、を備えた、
という構成をとる。【００１５】
また、本発明の他の形態であるプログラムは、
近距離無線通信の範囲内で他の無線通信端末と相互に近距離無線通信を行う近距離無線通信部と、所定のデータを記憶するデータ記憶部と、を備えた無線通信端末に装備された制御装置に、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、
を実現させる、
という構成をとる。【００１６】
また、本発明の他の形態である情報処理方法は、
近距離無線通信の範囲内で他の無線通信端末と相互に近距離無線通信を行う近距離無線通信部と、所定のデータを記憶するデータ記憶部と、を備えた無線通信端末が、
前記データ記憶部に記憶されたデータを他の無線通信端末と近距離無線通信により送受信することで、データの同期をとると共に、
少なくとも前記データ同期部を含む起動対象構成を、他の無線通信端末に装備された前記起動対象構成の起動と同時期に起動してデータの同期をとるよう作動させる、
という構成をとる。
【発明の効果】
【００１７】
本発明は、以上のように構成されることにより、無線通信端末の消費電力量の低減を図ることができる。
【図面の簡単な説明】
【００１８】
【図１】エピデミックルーティングによるデータ伝送方式を説明するための図である。
【図２】エピデミックルーティングによるデータ伝送の様子を示す図である。
【図３】本発明の実施形態１における無線通信端末の構成を示す機能ブロック図である。
【図４】図３に開示した無線通信端末の動作を示すフローチャートである。
【図５】図３に開示した無線通信端末間における動作を示すシーケンス図である。
【図６】本発明の実施形態２における無線通信端末の構成を示す機能ブロック図である。
【図７】図６に開示した無線通信端末の動作を示すフローチャートである。
【図８】図６に開示した無線通信端末の動作を示すフローチャートである。
【図９】図６に開示した無線通信端末間における動作を示すシーケンス図である。
【図１０】本発明の実施形態３における無線通信システムの構成を示す図である。
【図１１】本発明の付記１における無線通信端末の構成を示す機能ブロック図である。
【発明を実施するための形態】
【００１９】
＜実施形態１＞
本発明の第１の実施形態を、図３乃至図５を参照して説明する。図３は、無線通信端末の構成を示すブロック図であり、図４乃至図５は、無線通信端末の動作を示す図である。
【００２０】
本実施形態における無線通信端末Ａは、例えば、携帯電話端末といった移動可能な情報処理装置である。そして、他の無線通信端末も同様の構成をとっている。なお、本発明における無線通信端末Ａは、携帯電話端末であることに限定されず、いかなる情報処理装置であってもよい。また、無線通信端末Ａは、単体で利用される情報処理装置であってもよく、他の装置と連動したり、他の装置に組み込まれることで利用される情報処理装置であってもよい。
【００２１】
［構成］
図３に示すように、本実施形態における無線通信端末Ａは、まず、近距離無線通信の範囲内で他の無線通信端末と相互に近距離無線通信を行う近距離無線通信部１０を備えている。ここで、近距離無線通信部１０によって実現される近距離無線通信は、携帯基地局と行う無線通信とは異なり、Ｗｉ−Ｆｉ（Ｗｉｒｅｌｅｓｓ  Ｆｉｄｅｌｉｔｙ）や、Ｂｌｕｅｔｏｏｔｈ（登録商標）といった無線通信規格により、無線通信端末間で行う無線通信である。なお、近距離無線通信は、いかなる規格で行うものであってもよい。
【００２２】
また、無線通信端末Ａは、ＣＰＵ（Ｃｅｎｔｒａｌ  Ｐｒｏｃｅｓｓｉｎｇ  Ｕｎｉｔ）といった演算装置と、ＳＳＤ（Ｓｏｌｉｄ  Ｓｔａｔｅ  Ｄｒｉｖｅ）などの記憶装置を備えている。そして、無線通信端末Ａは、図３に示すように、演算装置にプログラムが組み込まれることで構築された、データ生成部１１、ＳＶＭ送受信部１３、データ送受信部１４、同期完了検出部１５、電源制御部１６、時刻同期部１７、を備えている。また、無線通信端末Ａは、記憶装置に形成されたデータ記憶部１２を備えている。
【００２３】
上記データ生成部１１は、無線通信端末Ａの状況に基づくデータや、当該端末Ａに入力された情報に基づくデータを生成して、データ記憶部１２に記憶する。例えば、データ生成部１１で生成されるデータは、無線通信端末Ａに装備されたＧＰＳ（Ｇｌｏｂａｌ  Ｐｏｓｉｔｉｏｎｉｎｇ  Ｓｙｓｔｅｍ）で取得した位置情報に基づく移動履歴や、当該端末Ａに接続された所定のセンサで測定されたデータ、さらには、当該端末Ａが搭載された装置の稼働状況を表す情報である。そして、データ生成部１１で生成されたデータは、所定の単位、例えば、生成された日単位で、一つのコンテンツデータとして区別されて、データ記憶部１２に記憶される。
【００２４】
上記ＳＶＭ送受信部１３、データ送受信部１４、同期完了検出部１５は、恊働して、上述したエピデミックルーティングを用いて他の無線通信端末Ｂとデータ同期を行う、データ同期部として機能する。なお、データ同期部として機能するＳＶＭ送受信部１３、データ送受信部１４、同期完了検出部１５は、後述するように、電源制御部１６により起動状態が制御される。つまり、ＳＶＭ送受信部１３、データ送受信部１４、同期完了検出部１５は、電源制御部１６による起動指令があったときに起動し、起動停止指令があったときにはスリープ状態（非起動状態）となる。
【００２５】
上記ＳＶＭ送受信部１３は、電源制御部１６にて起動されると、データ記憶部１２に記憶されているデータのリストであるサマリーベクター（Ｓｕｍｍａｒｙ  Ｖｅｃｔｏｒ）を含むメッセージ（以下、「ＳＶＭ」（Ｓｕｍｍａｒｙ  Ｖｅｃｔｏｒ  Ｍｅｓｓａｇｅ））を、近距離無線通信部１０を介して近距離無線通信の範囲に送信する。また、近距離無線通信の範囲に位置する他の無線通信端末Ｂから送信されたＳＶＭを受信する。つまり、近距離無線通信の範囲に位置する他の無線通信端末Ｂと相互に近距離無線通信を行い、ＳＶＭの交換を行う。そして、ＳＶＭ送受信部１３は、交換したＳＶＭやＳＶＭ送受信状況を、データ送受信部１４や同期完了検出部１５に通知する。
【００２６】
なお、ＳＶＭ送受信部１３は、その後もあらゆるタイミングで、近距離無線通信の範囲内の他の無線通信端末と、ＳＶＭの交換を行う。例えば、データ送受信部１４でデータの送受信が行われたときや、データ記憶部１２内のデータが更新されたとき、さらには、起動状態である間は一定の間隔で、他の無線通信端末Ｂと近距離無線通信にてＳＶＭの交換を行う。
【００２７】
上記データ送受信部１４は、上述したＳＶＭ送受信部１３にて行われたＳＶＭの交換結果に基づいて、つまり、自端末ＡのＳＶＭと他の端末ＢからのＳＶＭとを比較して、データ記憶部１２に記憶されているデータの送受信を行うか否かを判断する。例えば、自端末Ａが保有していないデータを他の端末Ｂに要求して、これに応じて他の端末Ｂから送信されたデータを受信してデータ記憶部１２に記憶する。あるいは、他の端末Ｂからの要求に応じて、自端末Ａがデータ記憶部１２に記憶しているデータを送信したり、要求の有無にかかわらず自端末Ａが保有しているが他の端末Ｂが保有していないデータを当該端末Ｂに送信する。このようにして、近距離無線通信の範囲に位置する他の端末Ｂとデータの同期をとる。
【００２８】
上記同期完了検出部１５は、上述したＳＶＭ送受信部１３によるＳＶＭの交換結果に基づいて、近距離無線通信の範囲に位置する他の端末Ｂとのデータ同期が完了したことを検出して、電源制御部１６に通知する。具体的には、自端末ＡのＳＶＭと他の端末ＢからのＳＶＭとを比較して、自端末Ａと他の端末Ｂとの保有データが一致している場合に、データ同期が完了したことを検出する。また、同期完了検出部１５は、ＳＶＭ送受信部１３によるＳＶＭの送受信状況、特に、ＳＶＭを送信したことも、電源制御部１６に通知する。
【００２９】
続いて、電源制御部１６と時刻同期部１７について説明する。まず、時刻同期部１７は、無線通信端末Ａの内部時刻を管理しており、当該内部時刻を例えばＧＰＳを用いて設定する。これにより、無線通信端末Ａの内部時刻が、他の端末Ｂに設定された内部時刻と同期される。なお、各端末の時刻の同期は、他の方法を用いて行ってもよい。
【００３０】
上記電源制御部１６は、上述したデータ同期部として機能する少なくともＳＶＭ送受信部１３、データ送受信部１４を含む予め設定された起動対象構成の起動状態を制御する起動制御部として機能する。本実施形態では、起動対象構成は、電源制御部１６の除く他の構成を含むこととする。
【００３１】
具体的に、電源制御部１６は、時刻同期部１７で管理されている内部時刻に基づいて、予め設定された時間が経過すると、起動対象構成をスリープ状態から起動状態となるよう起動する。つまり、電源制御部１６は、周期的に起動対象構成を起動させる。なお、スリープ状態とは、起動状態よりも省電力で作動している状態であったり、あるいは、起動対象構成に対して電源が供給されていない状態を言う。
【００３２】
これにより、同一時刻に設定されている全ての無線通信端末Ａ及びＢは、同一のタイミングで起動することとなる。そして、その後、上述したように、近距離無線通信可能な端末Ａ及びＢ同士が、相互に近距離無線通信を行い、ＳＶＭを交換してデータの同期をとる。ここで、上述した時刻同期部１７は必ずしも装備されている必要はなく、無線通信端末Ａ及びＢで時刻が多少ずれていてもよい。その場合であっても、電源制御部１６により起動対象構成が起動されることで、無線通信端末Ａ及びＢは同時期に起動される。なお、無線通信端末Ａ及びＢでは、データの同期処理が実行されている時間内を同時期として起動対象構成が起動されればよい。つまり、同時期とは、無線通信端末Ａの起動期間と無線通信端末Ｂの起動期間が重なっており、重なっている期間が同期にかかる時間以上であることも含む。さらに言えば、同時期とは、無線通信端末Ａの起動タイミングと無線通信端末Ｂの起動タイミングが異なること、及び無線通信端末Ａのスリープ状態（非起動状態）への移行タイミングと無線通信端末Ｂのスリープ状態への移行タイミングが異なることも含み、無線通信端末Ａ及びＢの起動期間が重なってさえいればよい。
【００３３】
また、電源制御部１６は、近距離無線通信の範囲内に位置する他の端末とのデータ同期が完了すると、ＳＶＭ送受信部１３やデータ送受信部１４を含む起動対象構成を、スリープ状態（非起動状態）とする。このとき、電源制御部１６は、自端末ＡのＳＶＭと他の端末Ｂから受信したＳＶＭとが一致したことで、両端末Ａ及びＢに記憶されているデータが同期されたことを確認して、スリープ状態とする。ここで、電源制御部１６が起動する起動対象構成とは、データの同期をとり当該同期が完了した確認する処理を実行する構成であることとする。
【００３４】
特に、本実施形態における電源制御部１６は、データ同期を確認した後に、さらに、自端末ＡからＳＶＭを近距離無線通信の範囲内の他の端末に対して送信した後に、自端末Ａの起動対象構成をスリープ状態にする。このようにすることで、近距離無線通信範囲内の他の端末がデータ同期の確認をできなくなることを抑制することができる。なお、近距離無線通信の範囲内の他の端末とのデータ同期が完了したことを確認した後に、予め設定された複数回だけＳＶＭを送信した後に、スリープ状態にしてもよい。このように、ＳＶＭを複数回送信することで、他の無線通信端末がより確実にデータ同期の確認を行うことができる。
【００３５】
［動作］
次に、上述した無線通信端末Ａ及びＢの動作を、図４乃至図５を参照して説明する。図４は、無線通信端末Ａ及びＢ単体の動作を示すフローチャートである。図５は、無線通信端末間の動作を示すシーケンス図である。
【００３６】
この例では、図５に示すように、無線通信端末Ａは、自端末に搭載されているデータ記憶部１２にデータＸ，Ｙ及びＺを記憶していることとし、無線通信端末Ｂは、自端末に搭載されているデータ記憶部１２にデータＸ及びＹを記憶していることとする。また、無線通信端末Ａ及びＢは、共に時刻が同期されており、同一の周期つまり同一の時刻で、ＳＶＭ送受信部１３やデータ送受信部１４を含む起動対象構成が起動するよう設定されていることとする。
【００３７】
上述した状況において、予め設定された時刻つまり周期が到来すると（図４のステップＳ２１：Ｙｅｓ）、無線通信端末Ａと無線通信端末Ｂとが、スリープ状態から同時に起動する（図４のステップＳ２２，図５のステップＳ３１，Ｓ３２）。このとき、両端末Ａ及びＢにおいて起動する構成は、データの同期をとり当該同期が完了した確認する処理を実行する少なくともＳＶＭ送受信部１３やデータ送受信部１４を含む起動対象構成である。但し、起動対象構成は他の構成を含んでいてもよい。
【００３８】
その後、起動した無線通信端末Ａ及びＢは、相互に近距離無線通信の範囲に位置することで、相互に近距離無線通信を行う。そして、相互に近距離無線通信にて通信可能となった無線通信端末Ａ及びＢは、相互にＳＶＭの交換を行う（図４のステップＳ２３）。例えば、図５のステップＳ３３及びＳ３４に示すように、各端末Ａ及びＢがそれぞれ近距離無線通信の範囲に送出したＳＶＭをお互いに受信し、自端末が保有していないデータを他方に要求する。図５の例では、無線通信端末Ａに対して、無線通信端末ＢがデータＺを要求する（ステップＳ３５）。これに応じて、無線通信端末Ａは、自端末Ａが保有しているデータＺを他の無線通信端末Ｂに送信することで（図５のステップＳ３６）、無線通信端末Ｂは受信したデータＺを自端末Ｂのデータ記憶部１２に記憶する（図５のステップＳ３７）。これにより、無線通信端末Ｂにも、無線通信端末Ａと同様にデータＸ，Ｙ，Ｚが記憶されたこととなり、無線通信端末Ａ及びＢ間でデータの同期がとれたこととなる（図４のステップＳ２４）。
【００３９】
上述したように、交換したＳＶＭに基づいてデータの送受信を行った各無線通信端末Ａ及びＢは、再度、ＳＶＭの交換を行う（図５のステップＳ３８及びＳ３９）。各無線通信端末Ａ及びＢは、ＳＶＭ交換によりデータの同期が完了したことを確認すると、少なくともＳＶＭ送受信部１３やデータ送受信部１４を含む起動対象構成をスリープ状態（非起動状態）とする。このとき、各無線通信端末Ａ及びＢは、データの同期を確認後、さらに自端末からＳＶＭを近距離無線通信の範囲に送信してから、起動対象構成をスリープ状態とする。図５の例では、まず、無線通信端末Ａは、ステップＳ３８のＳＶＭ受信でデータ同期を確認しているが、その後、無線通信端末ＡがさらにＳＶＭを送信した後に（ステップＳ３９）、スリープ状態となる（ステップＳ４０）。また、無線通信端末Ｂは、ステップＳ３８，Ｓ３９のＳＶＭの送受信でデータ同期を確認しているが、その後、無先通信端末ＢがさらにＳＶＭを送信した後に（ステップＳ４１）、スリープ状態となる（ステップＳ４２）。
【００４０】
その後、無線通信端末は、再度、設定された周期が経過すると、自動的に起動対象構成が起動して、上述したデータ同期を繰り返す。つまり、エピデミックルーティングにより無線通信端末がさらに別の無線通信端末と近距離無線通信を行ってデータ同期を行うことで、図２に示すように、無線通信端末間でデータを中継伝送することができ、近距離無線通信の範囲外に位置する遠く離れた端末にもデータを伝送可能となる。
【００４１】
以上のように、本発明における無線通信装置や無線通信方法では、移動体である無線通信端末Ａ及びＢは、周期的に同一のタイミングで起動してデータの同期をとっている。このため、常時、起動している必要はなく、バッテリーの減少を抑制して省電力化を図ることができる。また、無線通信端末Ａ及びＢが常に電源オフとなっていることを抑制でき、遠方の端末までデータを伝送することができる。
【００４２】
さらに、無線通信端末Ａ及びＢは、データの同期が完了すると、再度、起動していた起動対象構成を、スリープ状態（非起動状態）とする。このようにデータ同期処理のときだけ起動しているため、更なる省電力化を図ることができる。
【００４３】
なお、上記では、２台の無線通信端末Ａ及びＢ同士でデータ同期を行う場合を例示したが、３台以上の無線通信端末で同時にデータ同期を行ってもよい。この場合には、同時に起動した相互に近距離無線通信可能な全ての無線通信端末間で、ＳＶＭの交換及びデータ伝送を行ってデータ同期を行い、全ての無線通信端末が保有するデータが一致した後に、スリープ状態となる。
【００４４】
＜実施形態２＞
次に、本発明の第２の実施形態を、図６乃至図９を参照して説明する。図６は、無線通信端末の構成を示すブロック図であり、図７乃至図９は、無線通信端末の動作を示す図である。
【００４５】
［構成］
本実施形態における無線通信端末Ａは、データ同期を行うための構成、つまり、少なくともＳＶＭ送受信部１３やデータ送受信部１４を含む起動対象構成を起動する方法が、上述した実施形態１とは異なる。このため、本実施形態における無線通信端末Ａは、実施形態１のものとほぼ同様の構成を有するものの、電源制御部１６の機能が異なり、かつ、図６に示すように、新たにデータ管理部１８と起動メッセージ送受信部１９を備えている。このデータ管理部１８及びメッセージ送受信部１９は、無線通信端末Ａに装備された演算装置にプログラムが組み込まれることで実現されている。
【００４６】
上記データ管理部１８は、データ記憶部１２に記憶されるデータの変化を管理する。具体的には、データ生成部１１にてデータ記憶部１２に記憶されるデータが生成されたことを検出して、データ記憶部１２内のデータに変化が生じたことを電源制御部１６に通知する。
【００４７】
上記電源制御部１６は、データ管理部１８からデータ記憶部１２内のデータに変化が生じたことの通知を受けると、少なくともＳＶＭ送受信部１３やデータ送受信部１４を含む起動対象構成を起動する。このとき、電源制御部１６は、自端末Ａの起動対象構成だけでなく、近距離無線通信の範囲に位置する他の無線通信端末Ｂの起動対象構成もほぼ同一のタイミングつまり同時期に起動するよう制御する。具体的に、電源制御部１６は、起動メッセージ送受信部１９を介して、起動を指示する信号であるWakeupメッセージを近距離無線通信範囲内の他の無線通信端末Ｂに送信する。このとき、Wakeupメッセージは、ブロードキャストで送信するが、いかなる方法で送信してもよい。
【００４８】
一方で、起動メッセージ送受信部１９は、常に他の無線通信端末ＢからWakeupメッセージを受信可能なよう構成されている。起動メッセージ送受信部１９は、他の端末ＢからWakeupメッセージを受信すると、電源制御部１６に通知し、当該電源制御部１６は自端末Ａの起動対象構成を起動させる。
【００４９】
このように、本実施形態では、ある無線通信端末に記憶されたデータの変化を契機に、近距離無線通信の範囲内に位置する全ての無線通信端末を起動して、データの同期を取るよう作動させている。なお、かかる構成を実現するためには、データの送信側となる無線通信端末では、データの変化の検出とWakeupメッセージの検出が必要となるため、電源制御部１６、データ管理部１８、起動メッセージ送受信部１９は、常に起動した状態であり、これらの構成は起動対象構成に含まれないこととする。但し、受信側の無線通信端末では、データ管理部１８は常に起動している必要はなく、当該データ管理部１８は起動対象構成に含まれてもよい。
【００５０】
［動作］
次に、上述した無線通信端末Ａ及びＢの動作を、図７乃至図９を参照して説明する。図７は、無線通信端末Ａ単体の動作を示すフローチャートであり、図８は、無線通信端末Ｂ単体の動作を示すフローチャートである。図９は、無線通信端末間の動作を示すシーケンス図である。
【００５１】
この例では、図９に示すように、まず始めは、無線通信端末Ａ及びＢが同一のデータＸ及びＹを記憶しており、その後、無線通信端末Ａが、新たにデータＺを保有した場合を説明する。
【００５２】
スリープ状態である無線通信端末Ａが、新たにデータＺを保有して、記憶しているデータに変化が生じると（図７のステップＳ５１：Ｙｅｓ、図９のステップＳ７１）、自端末Ａの少なくともＳＶＭ送受信部１３やデータ送受信部１４を含む起動対象構成を起動する（図７のステップＳ５２、図９のステップＳ７２）。そして、無線通信端末Ａは、Wakeupメッセージを近距離無線通信範囲内の他の無線通信端末Ｂに送信する（図７のステップＳ５３、図９のステップＳ７３）。なお、無線通信端末Ａは、データに変化が生じたときに、まずWakeupメッセージ送信してから、起動対象構成を起動してもよい。
【００５３】
そして、無線通信端末Ａの近距離無線通信の範囲内に位置するスリープ状態である無線通信端末Ｂは、Wakeupメッセージを受信すると（図８のステップＳ６１：Ｙｅｓ）、自端末Ｂの少なくともＳＶＭ送受信部１３やデータ送受信部１４を含む起動対象構成を起動する（図８のステップＳ６２、図９のステップＳ７４）。これにより、ほぼ同一のタイミングつまり同時期に無線通信端末Ａ及びＢが起動したこととなる。
【００５４】
その後は、起動した無線通信端末Ａ及びＢ間で、上述同様にＳＶＭの交換が行われ、データ同期が行われる（図７のステップＳ５４及びＳ５５、図８のステップＳ６３及びＳ６４、図９のステップＳ７５−Ｓ７９）。そして、無線通信端末Ａ，Ｂ間でのデータ同期完了後は、上述同様にスリープ状態となる（図７のステップＳ５６、図８のステップＳ６５、図９のステップＳ８０−Ｓ８４）。
【００５５】
以上のように、本発明における無線通信装置や無線通信方法では、移動体である無線通信端末Ａ及びＢは、保有しているデータの変化を契機に、同時期に起動してデータの同期をとっている。このため、常時、起動している必要はなく、バッテリーの減少を抑制して省電力化を図ることができる。また、無線通信端末Ａ及びＢが常に電源オフとなっていることを抑制でき、遠方の端末まで適切にデータを伝送することができる。
【００５６】
さらに、無線通信端末Ａ及びＢは、データの同期が完了すると、再度、起動していた起動対象構成を、スリープ状態（非起動状態）とする。このため、データ同期処理のときだけ起動しているため、効率よく更なる省電力を図ることができる。
【００５７】
＜実施形態３＞
次に、本発明の第３の実施形態を、図１０を参照して説明する。図１０は、本実施形態における無線通信端末の構成及び動作を示す図である。
【００５８】
本実施形態における無線通信端末Ａ１−Ａ６は、それぞれ上述した実施形態で説明したものと同一の構成を備えている。そして、各無線通信端末Ａ１−Ａ６は、それぞれ車両Ｃ１−Ｃ６に搭載されている。なお、各無線通信端末Ａ１−Ａ６と各車両Ｃ１−Ｃ６は、それぞれ同一の構成を有していることとするが、異なる構成であってもよい。
【００５９】
上述した状況における無線通信端末Ａ１に装備された各構成は、特に以下の機能を有する。まず、データ生成部１１は、車両Ｃ１の状況を表すデータを収集あるいは生成して、データ記憶部１２に記憶する。例えば、データ生成部１１で生成されるデータは、車両Ｃ１に装備されたＧＰＳで取得した位置情報に基づく移動履歴や、車両Ｃ１のエンジンの使用状況（回転数など）、走行距離などの情報である。
【００６０】
また、無線通信端末Ａ１の電源制御部１６は、車両Ｃ１の状態に関わらず作動するよう構成されている。例えば、車両Ｃ１のエンジンが停止している場合であっても、上記実施形態１，２で説明したように、一定周期、あるいは、データ発生を契機に、起動対象構成を起動する。
【００６１】
上述したように、本発明における無線通信端末Ａ１を車両Ｃ１に搭載することで、車両Ｃ１が動き回っていたり、停止状態であっても、他の端末と同時期に起動してデータを伝送することができる。これにより、移動している車両に搭載された無線通信端末間で、データを蓄積しながら近距離無線通信にて中継伝送することができ、近距離無線通信の範囲外に位置する遠く離れた車両の端末にもデータを伝送可能となる。例えば、図１０の矢印に示すように、近距離無線通信では直接通信することが不可能な車両Ｃ１と車両Ｃ６であっても、他の車両Ｃ２−Ｃ４に搭載された無線通信端末Ａ２−Ａ４を介して、いずれはデータが伝播されることにより同じデータを保有することが可能となる。
【００６２】
＜付記＞
上記実施形態の一部又は全部は、以下の付記のようにも記載されうる。以下、本発明における無線通信装置（図１１参照）、プログラム、情報処理方法の構成の概略を説明する。但し、本発明は、以下の構成に限定されない。
【００６３】
（付記１）
近距離無線通信の範囲内で他の無線通信端末と相互に近距離無線通信を行う近距離無線通信部と、
所定のデータを記憶するデータ記憶部と、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、を備えた、
無線通信端末。
【００６４】
上記構成の発明によると、まず、無線通信端末は、近距離無線通信の範囲に他の無線通信端末が位置することとなると、当該他の無線通信端末と近距離無線通信を行う。そして、無線通信端末は、近距離無線通信にて他の無線通信端末とデータの送受信を行い、相互に記憶しているデータの同期をとる。そして、データを同期した他の無線通信端末も、近距離無線通信によりさらに別の無線通信端末とデータ同期をとることで、遠方に位置する無線通信端末に対してもデータを伝播させることができる。ここで、無線通信端末は、データの同期をとる際に作動する少なくともデータ同期部を含む起動対象構成を、他の無線通信端末の起動対象構成と同時期に起動して、データの同期をとる。
【００６５】
これにより、無線通信端末は、他の無線通信端末と同時期に起動してデータの同期をとることができる。このため、常時、起動している必要はなく、バッテリーの減少を抑制して省電力化を図ることができる。また、自端末や他の端末が常に電源オフとなっていることを抑制でき、遠方の端末まで適切にデータを伝送することができるため、データ伝送効率の向上を図ることができる。
【００６６】
（付記２）
付記１に記載の無線通信端末であって、
前記起動制御部は、予め設定された周期で前記起動対象構成を起動する、
無線通信端末。
【００６７】
（付記３）
付記２に記載の無線通信端末であって、
前記起動制御部は、他の無線通信端末と時刻の同期を行うと共に、当該同期された時刻に基づいて予め設定された周期で前記起動対象構成を起動する、
無線通信端末。
【００６８】
上記構成の発明によると、無線通信端末は、他の無線通信端末と周期的に起動してデータの同期をとる。これにより、無線通信端末の省電力化を図りつつ、適切にデータを伝送することができる。
【００６９】
（付記４）
付記１乃至３のいずれかに記載の無線通信端末であって、
前記起動制御部は、前記データ記憶部に記憶されたデータの変化に応じて、自端末に装備された前記起動対象構成を、他の無線通信端末に装備された前記起動対象構成の起動と同時期に起動する、
無線通信端末。
【００７０】
（付記５）
付記４に記載の無線通信端末であって、
前記起動制御部は、前記データ記憶部に記憶されたデータに変化が生じると、自端末の前記起動対象構成を起動すると共に、前記無線通信部を介して他の無線通信端末の前記起動対象構成を起動する信号を発信する、
無線通信端末。
【００７１】
上記構成の発明によると、無線通信端末は、記憶されたデータの変化が生じたタイミングで、他の無線通信端末と起動してデータの同期をとる。これにより、無線通信端末は、データの同期が必要なタイミングで起動されるため、より省電力化を図りつつ、効率よくデータを伝送することができる。
【００７２】
（付記６）
付記１乃至５のいずれかに記載の無線通信端末であって、
前記起動制御部は、前記データ同期部にて、近距離無線通信の範囲内の他の無線通信端末と前記データ同期部によるデータの同期が完了すると、前記起動対象構成を非起動状態とする、
無線通信端末。
【００７３】
（付記７）
付記６に記載の無線通信端末であって、
前記起動制御部は、前記データ同期部にて、近距離無線通信の範囲内の他の無線通信端末から当該他の無線通信端末が記憶しているデータのリストを受信してデータの同期を確認し、その後、近距離無線通信の範囲内の他の無線通信端末に対して自端末に記憶されているデータのリストを送信してから、前記起動対象構成を非起動状態とする、
無線通信端末。
【００７４】
上記構成の発明によると、無線通信端末は、近距離無線通信の範囲内の他の無線通信端末とデータの同期が完了すると、データ同期部などの起動対象構成を非起動状態とする。これにより、同期後のバッテリーの消費を低減することができ、省電力化を図ることができる。
【００７５】
また、無線通信端末は、他の無線通信端末からデータのリストを受信してデータの同期を確認し、さらに他の無線通信端末に対して自端末のデータのリストを送信した後に、非起動状態となる。これにより、他の無線通信端末も自端末とのデータの同期を確実に確認でき、その後に非起動状態となることができ、省電力化を図ることができる。
【００７６】
（付記８）
付記１乃至５のいずれかに記載の無線通信端末であって、
前記データ同期部は、前記起動制御部により起動されたときに、近距離無線通信の範囲内の他の無線通信端末と相互に近距離無線通信して、自端末の前記データ記憶部に記憶されているデータと他の無線通信端末の前記データ記憶部に記憶されているデータとを比較すると共に、当該データを送受信してデータの同期をとる、
無線通信端末。
【００７７】
（付記９）
付記８に記載の無線通信端末であって、
前記データ同期部は、前記起動制御部により起動されたときに、近距離無線通信の範囲内の他の無線通信端末と相互に近距離無線通信して、自端末の前記データ記憶部に記憶されているデータのリストを他の無線通信端末に送信し、及び／または、他の無線通信端末から当該他の無線通信端末の前記データ記憶部に記憶されているデータのリストを受信して、前記リストに基づいてデータを送受信してデータの同期をとる、
無線通信端末。
【００７８】
（付記１０）
付記１乃至９のいずれかに記載の無線通信端末であって、
前記データ同期部は、エピデミックルーティングによりデータの同期をとる、
無線通信端末。
【００７９】
上記構成の発明によると、無線通信端末は、データ同期部などの起動対象構成が起動されたときに、例えば、エピデミックルーティングといった方法により、他の無線通信端末と記憶しているデータのリストを送受信してデータの同期をとる。これにより、省電力化を図りつつ、効率よくデータ伝送を行うことができる。
【００８０】
（付記１１）
付記１乃至１０のいずれかに記載の無線通信端末であって、
前記起動対象構成は、他の無線通信端末とデータの同期をとり、当該同期を確認する処理を実行する構成を含む、
無線通信端末。
【００８１】
（付記１２）
付記１乃至１１のいずれかに記載の無線通信端末であって、
当該無線通信端末は車両に搭載されており、
前記起動制御部は、前記車両の状態に関わらず作動する、
無線通信端末。
【００８２】
（付記１３）
付記１乃至１１のいずれかに記載の無線通信端末を搭載した車両。
【００８３】
上記構成の発明によると、上述した無線通信端末を車両に搭載することで、車両が動き回っていたり、停止状態であっても、他の端末と同時期に起動してデータを伝送することができる。これにより、複数車両のデータを、省電力で効率よく収集することができる。
【００８４】
（付記１４）
近距離無線通信の範囲内で他の無線通信端末と相互に近距離無線通信を行う近距離無線通信部と、所定のデータを記憶するデータ記憶部と、を備えた無線通信端末に装備された制御装置に、
前記データ記憶部に記憶されたデータを他の無線通信端末と近距離無線通信により送受信することで、データの同期をとるデータ同期部と、
少なくとも前記データ同期部を含む起動対象構成を、他の無線通信端末に装備された前記起動対象構成の起動と同時期に起動してデータの同期をとるよう作動させる起動制御部と、
を実現させるためのプログラム。
【００８５】
（付記１５）
付記１４に記載のプログラムであって、
前記起動制御部は、予め設定された周期で前記起動対象構成を起動する、
プログラム。
【００８６】
（付記１６）
付記１４又は１５に記載のプログラムであって、
前記起動制御部は、前記データ記憶部に記憶されたデータの変化に応じて、自端末に装備された前記起動対象構成を、他の無線通信端末に装備された前記起動対象構成の起動と同時期に起動する、
プログラム。
【００８７】
（付記１７）
付記１４乃至１６のいずれかに記載のプログラムであって、
前記起動制御部は、前記データ同期部にて、近距離無線通信の範囲内の他の無線通信端末と前記データ同期部によるデータの同期が完了すると、前記起動対象構成を非起動状態とする、
プログラム。
【００８８】
（付記１８）
近距離無線通信の範囲内で他の無線通信端末と相互に近距離無線通信を行う近距離無線通信部と、所定のデータを記憶するデータ記憶部と、を備えた無線通信端末が、
前記データ記憶部に記憶されたデータを他の無線通信端末と近距離無線通信により送受信することで、データの同期をとると共に、
少なくとも前記データ同期部を含む起動対象構成を、他の無線通信端末に装備された前記起動対象構成の起動と同時期に起動してデータの同期をとるよう作動させる、
情報処理方法。
【００８９】
（付記１９）
付記１８に記載の情報処理方法であって、
前記起動対象構成を、予め設定された周期で起動してデータの同期をとるよう作動させる、
情報処理方法。
【００９０】
（付記２０）
付記１８又は１９に記載の情報処理方法であって、
前記データ記憶部に記憶されたデータの変化に応じて、自端末に装備された前記起動対象構成を、他の無線通信端末に装備された前記起動対象構成の起動と同時期に起動する、
情報処理方法。
【００９１】
（付記２１）
付記１８乃至２０のいずれかに記載の情報処理方法であって、
自端末と近距離無線通信の範囲内の他の無線通信端末とのデータの同期が完了すると、前記起動対象構成を非起動状態とする、
情報処理方法。
【００９２】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００９３】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【００９４】
なお、本発明は、日本国にて２０１４年１１月２８日に特許出願された特願２０１４−２４１９４６の特許出願に基づく優先権主張の利益を享受するものであり、当該特許出願に記載された内容は、全て本明細書に含まれるものとする。
【符号の説明】
【００９５】
Ａ，Ａ１−Ａ６，Ｂ  無線通信端末
Ｃ１−Ｃ６  車両
１０  近距離無線通信部
１１  データ生成部
１２  データ記憶部
１３  ＳＶＭ送受信部
１４  データ送受信部
１５  同期完了検出部
１６  電源制御部
１７  時刻同期部
１８  データ管理部
１９  起動メッセージ送受信部
１００  無線通信端末
１０１  近距離無線通信部
１０２  データ記憶部
１０３  データ同期部
１０４  起動制御部
【図１】
2016084275.tif 000003
【図２】
2016084275.tif 000004
【図３】
2016084275.tif 000005
【図４】
2016084275.tif 000006
【図５】
2016084275.tif 000007
【図６】
2016084275.tif 000008
【図７】
2016084275.tif 000009
【図８】
2016084275.tif 000010
【図９】
2016084275.tif 000011
【図１０】
2016084275.tif 000012
【図１１】
2016084275.tif 000013
【手続補正書】
【提出日】平成29年5月18日(2017.5.18)
【手続補正２】
【補正対象書類名】特許請求の範囲
【補正対象項目名】全文
【補正方法】変更
【補正の内容】
【特許請求の範囲】
【請求項１】
近距離無線通信の範囲内で他の無線通信端末と相互に近距離無線通信を行う近距離無線通信手段と、
所定のデータを記憶するデータ記憶手段と、
前記データ記憶手段に記憶されたデータを他の無線通信端末と近距離無線通信により送受信することで、データの同期をとるデータ同期手段と、
少なくとも前記データ同期手段を含む起動対象構成を、他の無線通信端末に装備された前記起動対象構成の起動と同時期に起動してデータの同期をとるよう作動させる起動制御手段と、
を備える無線通信端末。
【請求項２】
前記起動制御手段は、予め設定された周期で前記起動対象構成を起動する、
請求項１に記載の無線通信端末。
【請求項３】
前記起動制御手段は、他の無線通信端末と時刻の同期を行うと共に、同期された時刻に基づいて予め設定された周期で前記起動対象構成を起動する、
請求項２に記載の無線通信端末。
【請求項４】
前記起動制御手段は、前記データ記憶手段に記憶されたデータの変化に応じて、自端末に装備された前記起動対象構成を、他の無線通信端末に装備された前記起動対象構成の起動と同時期に起動する、
請求項１から３のいずれか一項に記載の無線通信端末。
【請求項５】
前記起動制御手段は、前記データ同期手段にて、近距離無線通信の範囲内の他の無線通信端末と前記データ同期手段によるデータの同期が完了すると、前記起動対象構成を非起動状態とする、
請求項１から４のいずれか一項に記載の無線通信端末。
【請求項６】
前記起動制御手段は、前記データ同期手段にて、近距離無線通信の範囲内の他の無線通信端末から当該他の無線通信端末が記憶しているデータのリストを受信してデータの同期を確認し、その後、近距離無線通信の範囲内の他の無線通信端末に対して自端末に記憶されているデータのリストを送信してから、前記起動対象構成を非起動状態とする、
請求項５に記載の無線通信端末。
【請求項７】
前記データ同期手段は、前記起動制御手段により起動されたときに、近距離無線通信の範囲内の他の無線通信端末と相互に近距離無線通信して、自端末の前記データ記憶手段に記憶されているデータと他の無線通信端末の前記データ記憶手段に記憶されているデータとを比較すると共に、当該データを送受信してデータの同期をとる、
請求項１から６のいずれか一項に記載の無線通信端末。
【請求項８】
請求項１から７のいずれか一項に記載の無線通信端末を搭載した車両。
【請求項９】
近距離無線通信の範囲内で他の無線通信端末と相互に近距離無線通信を行う近距離無線通信手段と、所定のデータを記憶するデータ記憶手段と、を備えた無線通信端末に装備された制御装置に、
前記データ記憶手段に記憶されたデータを他の無線通信端末と近距離無線通信により送受信することで、データの同期をとるデータ同期処理と、
少なくとも前記データ同期処理を行うデータ同期手段を含む起動対象構成を、他の無線通信端末に装備された前記起動対象構成の起動と同時期に起動してデータの同期をとるよう作動させる起動制御処理と、
を実行させるプログラム。
【請求項１０】
近距離無線通信の範囲内で他の無線通信端末と相互に近距離無線通信を行う近距離無線通信手段と、所定のデータを記憶するデータ記憶手段と、を備えた無線通信端末が、
前記データ記憶手段に記憶されたデータを他の無線通信端末と近距離無線通信により送受信することでデータの同期をとり、
少なくとも前記同期を行うデータ同期手段を含む起動対象構成を、他の無線通信端末に装備された前記起動対象構成の起動と同時期に起動してデータの同期をとるよう作動させる、
情報処理方法。
【国際調査報告】
2016084275.tif 000014
2016084275.tif 000015
2016084275.tif 000016